(57)【要約】【課題】汚物を細かく破砕する。【解決手段】便器本体２０の溜まり部１８内に破砕手段４０が設けられる。破砕手段は、固定刃４０Ａと回転刃４０Ｂからなる。固定刃にはその固定円盤１７０上に複数の櫛歯部１８２が設けられる。固定円盤には破砕物の流下孔が設けられる。櫛歯部は複数の櫛歯１８２を有する。回転刃４０Ｂにも複数の櫛歯部１６０が設けられており、これらの櫛歯部同士が互いに噛合する。破砕手段を駆動すると、汚物は上下の櫛歯部によって破砕される。したがって汚物に豆類などの固形物が含まれているときは、この櫛歯部の作用で固形物も同時に細かく破砕されて溜まり部１８の底部側に落下する。【選択図】        図７
2007217995.tif 000002
【特許請求の範囲】
【請求項１】
便器の開口部の近傍から洗浄水が給水される給水口と、該開口部の奥底に設けられた溜まり部と、該溜まり部と連通する排出口とを備え、この排出口に排出ホースが連結されるようになされた便器本体と、
上記溜まり部に配設された汚物の破砕手段と、
上記溜まり部の上方側に設けられると共に、上記汚物の破砕物を圧送する破砕物圧送手段と、
上記破砕物圧送手段の上方側に配設されると共に、上記溜まり部を密閉する開閉蓋と、排出口の下流側に設けられた開閉弁機構を備え、
上記破砕手段は、固定刃と、この固定刃の上面に配された回転刃とで構成され、
上記回転刃と固定刃とを互いに噛合させることで、上記汚物を破砕する
ことを特徴とするトイレ装置。
【請求項２】
上記回転刃は、放射状に延びる複数の櫛歯部で構成され、
上記櫛歯部には上記固定刃と噛合する複数の櫛歯が設けられた
ことを特徴とする請求項１記載のトイレ装置。
【請求項３】
上記櫛歯部は、回転中心に位置するタブ部に対してほぼ等間隔に配された３本の櫛歯部で構成される
ことを特徴とする請求項２記載のトイレ装置。
【請求項４】
上記櫛歯部のそれぞれには、攪拌片が取り付けられた
ことを特徴とする請求項２記載のトイレ装置。
【請求項５】
上記回転刃は、一部が切欠されて半月状となされた回転円盤と、この回転円盤の下面に設けられた放射状に延びる複数の櫛歯部とで構成され、
上記櫛歯部には上記固定刃と噛合する複数の櫛歯が設けられた
ことを特徴する請求項１記載のトイレ装置。
【請求項６】
上記回転円盤上には、複数の攪拌片が取り付けられた
ことを特徴とする請求項５記載のトイレ装置。
【請求項７】
上記固定刃は、固定円盤と、
上記回転刃に設けられた櫛歯部とそれぞれ噛合するように、上記固定円盤上に設けられた放射状に延びる複数の櫛歯部と、
上記固定円盤内に複数設けられた上記破砕物の流下孔とで構成される
ことを特徴とする請求項１記載のトイレ装置。
【発明の詳細な説明】
【技術分野】
【０００１】
この発明は、室内で使用できる可搬型簡易トイレを使用したトイレシステムに適用できるトイレ装置に関する。詳しくは、回転刃と固定刃からなる破砕手段を便器内に設け、この破砕手段によって汚物に含まれている固形物などでも細かく破砕できるようにしたものである。
【背景技術】
【０００２】
介護を必要とする老人や、身体が不自由で室内の既設トイレまで出向くことが困難な人のために、可搬型の簡易トイレ装置が開発されている（例えば特許文献１、特許文献２）。
【０００３】
この可搬型簡易トイレ装置は、室内に設置できるように椅子型に構成され、椅子に座って用便を足すことができる。可搬型簡易トイレ装置には便器に洗浄水を流すための給水ホースと、汚物を排出する排出用の排出ホースおよび汚物を圧送する手段が設けられている。そしてその給水および排出は既設トイレを利用して行うようにしている。
【０００４】
このように既設トイレを利用して可搬型簡易トイレ装置の汚物を処理するトイレシステムは、例えば図１５のように構成することができる。
【０００５】
図１５に示すトイレシステムは、家屋１の廊下２に面して既設トイレ３が設置された例である。既設トイレ３内には便器４と洗浄用注水タンク５が設置されている。廊下２に沿ってこの例では寝室としての部屋６が位置し、部屋６内には例えばベッド７が置かれている。部屋６の一部に可搬型簡易トイレ装置１０が置かれ、既設トイレ３に出向かずに、この簡易トイレ装置１０によって用便を足すことができる。
【０００６】
可搬型簡易トイレ装置１０は、水洗トイレである。そのため、給水手段と排出手段が設けられ、給水手段としての給水ホース１２は上水道に連結され、排出手段としての排出ホース１４は既設便器４に導かれる。
【０００７】
排出ホース１４は下水道管に連結することもできるが、そうすると配管工事を行う必要があり、コストが嵩む。既設便器４に排出ホース１４用の連結部を設ける場合も、便器を改造したり、新たな便器を用意しなければならないので、同じくコストが嵩む。図１６は、既設便器４をそのまま利用できるようにしたものである。
【０００８】
既設便器４をそのまま利用する場合には、排出ホース１４の先端部は例えば図１６のように連結されることになる。この例では、便座１１８の下面に設けられた台座１１８ａによって得られる既設便器４との間の空間を利用して、排出ホース１４が挿通される。既設便器４には簡単なホース抑え１２０が便座１１８に取り付けられる。排出ホース１４の先端は、既設便器４の溜まり部へ導かれている。
【０００９】
【特許文献１】特開２００１−２７５８８５号公報
【特許文献２】特開２０００−８４４２号公報
【発明の開示】
【発明が解決しようとする課題】
【００１０】
ところで、図１６のように既設便器４をそのまま利用して排出ホース１４を設置すると、洗浄水の水圧のみでは排出ホース１４内に汚物が滞留するおそれがあるので、可搬型簡易トイレ装置１０としては、圧送型の水洗トイレであるのが望ましい。
【００１１】
水洗トイレであるので、汚物やトイレットペーパーなどはそのまま排出ホース１４内を流下して既設便器４内に排出される。排出ホース１４内での汚物等の詰まりをなくすためには、排出ホース１４としてある程度太いホースを使用する必要がある。
【００１２】
ここで、排出ホース１４は図１５のように室内や廊下などを這わせて既設トイレ３まで設置しなければならないので、排出ホース１４としてはできるだけ細いホースである方が好ましい。
【００１３】
細い排出ホースを使用するためには、汚物などは細かくして流下させる必要がある。そのため、特許文献１や特許文献２などでは攪拌手段を採用している。攪拌手段によって汚物やトイレットペーパーなどを細かくしてから排出ホース１４側に排出するようにしている。
【００１４】
しかし、特許文献１や特許文献２に開示されているような攪拌手段では、汚物を粗くしか砕くことができない。豆類などの固形物や繊維質野菜のカスなどが汚物の中に含まれているようなときには、固形物などまでも細かく砕くことができないので、この攪拌手段による場合では固形物などの原型がそのまま残ってしまうおそれがある。そうすると、これら固形物が排出ホース１４を通過するとき、排出ホース１４内に滞留して、流状物の流れを妨げるおそれがあり、詰まりの原因となり易く、細い排水ホースを用いることが困難である。
【００１５】
排出ホース１４内の滞留をなくすには、排出ホース１４内の送圧を強くしなければならず、そうすると流状物圧送用のエアコンプレッサを大きくしなければならないなどと言った問題が発生する。細い排出ホースを使用できるようにするには、その一手段として汚物を細かく裁断（破砕）できるようにすればよい。
【００１６】
そこで、この発明はこのような従来の課題を解決したものであって、破砕手段によって汚物を破砕してからその流状物を排出するようにしたトイレ装置を提案するものである。
【課題を解決するための手段】
【００１７】
上述の課題を解決するため、請求項１に記載したこの発明に係るトイレ装置は、便器の開口部の近傍から洗浄水が給水される給水口と、該開口部の奥底に設けられた溜まり部と、該溜まり部と連通する排出口とを備え、この排出口に排出ホースが連結されるようになされた便器本体と、
上記溜まり部に配設された汚物の破砕手段と、
上記溜まり部の上方側に設けられると共に、上記汚物の破砕物を圧送する破砕物圧送手段と、
上記破砕物圧送手段の上方側に配設されると共に、上記溜まり部を密閉する開閉蓋と、排出口の下流側に設けられた開閉弁機構を備え、
上記破砕手段は、固定刃と、この固定刃の上面に配された回転刃とで構成され、上記回転刃と固定刃とを互いに噛合させることで、上記汚物を破砕することを特徴とする。
【００１８】
この発明に係るトイレ装置は、特に可搬型の簡易トイレ装置に適用して好適である。可搬型簡易トイレ装置は、圧送式の水洗トイレである。簡易トイレ装置は、便器の開口部の近傍から洗浄水が給水される給水口と、該開口部の奥底に設けられた溜まり部と、該溜まり部と連通する排出口とを備えた便器本体を有する。
【００１９】
溜まり部内には汚物の破砕手段が取り付けられる。溜まり部の上方には汚物の破砕物を圧送する破砕物圧送手段が設けられ、さらにこの破砕物圧送手段の上方側に溜まり部を密閉する開閉蓋が設けられる。便器本体の排出口側には開閉弁（排出用電磁弁）を備える。排出口には排出ホースが接続される。
【００２０】
破砕手段は、固定刃と回転刃からなる。固定刃にはその固定円盤上に複数の櫛歯部が設けられる。固定円盤には破砕物の流下孔が設けられる。櫛歯部は複数の櫛歯を有する。回転刃も放射状に延びる複数の櫛歯部が設けられており、これらの櫛歯部と、固定刃側の櫛歯部とが互いに噛合する。
【００２１】
汚物などが開閉蓋に落下すると、その重みで開閉蓋の先端部が開き、汚物はその自重によって自動的に溜まり部内に落下する。排便後は開閉蓋が自動的に閉まるので、溜まり部が再び自動的に密閉される。汚物からの防臭と破砕手段の隠蔽ができる。
【００２２】
破砕手段を駆動すると、汚物は上下の櫛歯部によって破砕される。したがって汚物に豆類などの固形物が含まれているときは、この櫛歯部の作用で固形物も同時に細かく破砕される。
【００２３】
汚物の破砕処理中溜まり部内に圧縮空気を送って溜まり部内を加圧（２気圧程度）する。その後、排出用電磁弁を開くことで、破砕した流状物（粒状物）が排出ホースを介して既設便器側に圧送される。この圧送処理によって流状物を排出ホース内に滞留させることなく既設便器に排出できる。破砕手段によって汚物などは細かく破砕された流状物となるため、排出ホースとしてはその管径が５〜１０ｍｍ程度のビニルホールなどを使用できる。
【発明の効果】
【００２４】
この発明では、互いに噛合する回転刃と固定刃とで構成された破砕手段によって汚物を破砕処理するようにしたものである。
【００２５】
これによれば、破砕手段を駆動することで汚物は回転刃と固定刃との噛合によって破砕される。とりわけ、回転刃に設けた櫛歯部と、固定刃に設けた櫛歯部とを噛合させることで良好に破砕される。このため、汚物に豆類などの固形物などが含まれているときでも、この櫛歯部の作用で固形物も同時に細かく破砕することができ、排出ホース内での流状物の詰まりがなくなる。
【発明を実施するための最良の形態】
【００２６】
続いて、この発明に係るトイレ装置の好ましい実施例を図面を参照して詳細に説明する。この発明は、特に上述したトイレシステムに使用される可搬型簡易トイレ装置が好適である。この簡易トイレ装置は特にお尻洗浄機能の付いた、いわゆる温水洗浄便座付きの簡易トイレ装置が好適である。以下の説明はこの温水洗浄便座の設備についての説明は省いてある。可搬型簡易トイレ装置は洋式水洗トイレに適用した場合である。
【実施例１】
【００２７】
この発明に係るトイレシステムは、図１５に示すように既設トイレ３と可搬型簡易トイレ装置１０と、これらの間を連結する給水ホース１２と排出ホース１４とで構築される。図１５の構成は既に説明したので、その詳細は割愛する。既設トイレ３も洋式の水洗トイレである。可搬型簡易トイレ装置１０は、圧送式の水洗トイレである。
【００２８】
図１はこの発明に適用できる圧送式の可搬型簡易トイレ装置１０の一例を示す要部断面図である。この可搬型簡易トイレ装置１０は便器本体２０を有する。便器本体２０は通常の水洗式トイレ（洋式トイレ）とほぼ同じ漏斗状の断面形状をなすが、その全体形状は箱型として構成される。なお、近年はインテリア要素も求められるので、必ずしも箱形だけではなく、例えば肘掛けのある椅子型のものも利用されている。
【００２９】
便器本体２０を軽量化するため、この例では便器本体２０はプラスチックによる成型品であるが陶器等の他の素材を使用して成形してもよい。便器本体２０の上部開口部側には便座２１が位置すると共に、この便座２１および上部開口部を閉塞するような便蓋２３が設けられている。
【００３０】
便器本体２０の底部がトラップ水（溜まり水）や汚物の溜まり部１８となる。
溜まり部１８に連通して断面が略「へ」の字状をなす排出部２２が設けられ、排出口２７に排出ホース１４が連結される。
【００３１】
断面が略「へ」の字状の部位は、一般にＳ字トラップと呼称されることが多い。この例では便器本体２０の背面部２０ｂに連結部２６が設けられると共に、便器本体２０の内部であって、開閉弁として機能する電磁弁２４が連結部２６に近接して設けられている。溜まり部１８に連通する排出部２２の略「へ」の字状の形状は、図示の形状の他にＰ型、Ｕ型、椀型などが考えられる。これらの形状はいずれも同様な作用効果が得られる。
【００３２】
電磁弁２４は、溜まり部１８内のトラップ水（汚物を含んだ水）を便器外に排出するときだけ開くように制御され、トイレを使用していないときは閉じられている。漏水を防止するためである。この電磁弁２４は漏水防止の他に、圧送手段を構成するエアコンプレッサ（後述する）を使用して溜まり部１８内を加圧（２気圧程度）するときの圧縮空気の漏止を防止する機能もある。
【００３３】
便器本体２０の上部近辺で、排出部側の壁面１８ａには洗浄水の給水口２８が設けられている。本体背面部２０ｂに設けられた連結部３４とこの給水口２８との間には連結管３０が配される。連結管３０は分岐管が使用され、給水口２８に向かう連結管３０に洗浄水を制御するための電磁弁３２が取り付けられている。連結部３４に連結される給水ホース１２からの給水をこの電磁弁３２によって制御できるようにするためである。
【００３４】
分岐された連結管３０にも電磁弁３３を介して洗浄ホース（洗浄管）２４０が連結されている。洗浄ホース２４０の先端部は溜まり部１８のトラップ水の水面よりも上側に突出するように設けられている。この洗浄ホース２４０による注水（実際には噴射）によって、後述するように溜まり部１８内と開閉蓋２１２の裏面の洗浄が行われる。
【００３５】
給水口２８と壁面１８ａとの間にはゴム状の漏水防止管２９が介挿され、さらに洗浄ホース２４０が貫通する溜まり部１８にも漏水防止管２４２が介挿され、外部への漏水の防止を図っている。
【００３６】
溜まり部１８の底部には排泄物等の破砕手段４０が設けられる。破砕手段４０は溜まり部１８内に溜まった汚物（排泄物など）やトイレットペーパー（以下汚物と総称する）を砕くためのもので、破砕した流状物はトラップ水と混合して排出される。
【００３７】
破砕手段４０は固定刃４０Ａ、回転刃４０Ｂおよびモータ（電磁モータ）４２とで構成される。固定刃４０Ａと回転刃４０Ｂとは互いに噛合しあう複数の櫛歯部を有する。詳細は後述する。
【００３８】
固定刃４０Ａと回転刃４０Ｂのみが溜まり部１８内に臨むように取り付けられる。そのため、モータ４２は溜まり部１８の底壁１９の外側に配置され、ボルトやナットによる支持具４６によって便器本体２０に取り付け固定される。モータ４２の回転軸は溜まり部１８の底壁１９を水密的に回転可能に貫通している。モータ４２は溜まり部１８の底壁１９の外側ではなく、便器本体２０の底面板２０ｃに固定するようにしてもよい。
【００３９】
底面板２０ｃの内側にはＣＰＵなどで構成された制御部５０が配される。上述した排出用電磁弁２４、給水用電磁弁３２、３３、モータ４２などの各駆動が、制御部５０によって所定のタイミングで所定の時間だけ制御される。制御部５０用の電源スイッチ５２は本体背面部２０ｂに設けられ、本体上面部であって、便蓋２３の下面には開閉スイッチ５５（後述する）が設けられている。
【００４０】
可搬型簡易トイレ装置１０はさらに以下の構造を有する。図１に示すように、便器本体２０における溜まり部１８の上部であって、給水口２８よりも下側の所定位置には、溜まり部１８に所定の圧縮空気を送給するための破砕物用圧送手段２００が設けられる。この溜まり部１８の上部であって、圧送手段２００の取り付け位置よりも若干上部側に縮径部２３０が設けられる。そしてこの縮径部２３０を閉塞し、溜まり部１８を密閉できるように、縮径部２３０の下面には開閉蓋機構２１０が設けられる。
【００４１】
圧送手段２００はエアコンプレッサで構成することができ、このエアコンプレッサ２００の送給管２０４が取り付け手段２０６を介して溜まり部１８側に導出される。取り付け手段２０６は溜まり部１８のトラップ水の水面より上部に設けられる。エアコンプレッサ２００は便器本体２０の背面空間部２０ａ内に設けられた取り付け板２０２に固定される。
【００４２】
便器本体２０にエアコンプレッサ２００を備えるのではなく、可搬型簡易トイレ装置本体の外部より圧縮空気を取り入れるような機構であっても、同様の作用を期待できる。
【００４３】
縮径部２３０は環状フランジ部として構成され、溜まり部１８の内面に向かうように所定長だけ突出している。上述した送給管２０４は溜まり部１８のトラップ水と縮径部２３０との間に位置している。
【００４４】
縮径部２３０は図１からも明らかなように、その全体が多少排出部２２側に傾斜するように設けられている。縮径部２３０の下面側には、この縮径部２３０を閉塞できるような開閉蓋機構２１０が設けられている。開閉蓋機構２１０としては、回動式とスライド式が考えられる。図１の例は回動式である。
【００４５】
この例では、回動式であるため、開閉蓋機構２１０を構成する蓋本体２１２を有する。蓋本体２１２の一端、図の例では右端部が回動軸部２１４となされ、この回動軸部２１４が縮径部２３０の下面部２３２に位置するように、便器本体２０に対して回動自在に軸支される。この軸支部は便器本体２０に対して水密的に軸支されている。
【００４６】
蓋本体２１２は、その周面が縮径部２３０の下面縁部２３４と当接した状態となるように付勢される。蓋本体２１２は下面縁部２３４に沿った形状をなすと共に、通常はこの下面縁部２３４に接触して溜まり部１８内を密閉できるように、回動軸部２１４と下面部２３２の壁面との間には付勢用のバネ２１６が巻き付けられている。
【００４７】
上述したように縮径部２３０は排出部２２側に多少傾斜するように設けられているので、開閉蓋機構２１０を構成する蓋本体２１２自体も、排出部２２側に傾いて取り付けられる。このように蓋本体２１２を傾けて取り付けるようにすれば、蓋本体２１２の上面に落下した排泄物を残らず、溜まり部１８内に落とし込むことができる（図２参照）。
【００４８】
上述した洗浄ホース２４０は、蓋本体２１２の裏面側と溜まり部１８の周面の一部の双方に、洗浄水を噴射できるような角度をもってその先端部が溜まり部１８内に取り付けられる。この例では図１に示すように、蓋本体２１２の回動軸部２１４の近傍であって、その下部側に水密的に取り付け固定される。
【００４９】
このように構成された便器本体２０には給水ホース１２と排出ホース１４とが連結されると共に、それらは既設トイレ３に導かれる。
【００５０】
図３は既設トイレ３の概要を示す。  
図３は温水洗浄便座８０を備えた既設便器４を例示する。この場合には水道管（上水道管）８２に分岐管８４が連結され、この分岐管８４のうち水道管８２側に第１の分岐口８６が設けられ、ここに温水洗浄便座用のホース８７が連結される。そして第１の分岐口８６より末端に近い方に第２の分岐口８８が設けられ、ここに洗浄水用のホース８９が連結される。
【００５１】
この例では、このような分岐構成の分岐管８４が使用されると共に、第１と第２の分岐口８６，８８との間に逆止弁９０が設置されると共に、分岐管８４の末端部に給水ホース１２に対する連結部９２が設けられる。この連結部９２に給水ホース１２の先端に設けられた連結部６０Ａが連結される。
【００５２】
このように新たな分岐管８４を設け、ここに給水ホース１２を取り付けることによって可搬型簡易トイレ装置１０に洗浄水を供給できる。なお、第１と第２の分岐口８６，８８との間に逆止弁９０を設置したのは、万が一ホース８９や給水ホース１２側からの水が逆流して温水洗浄便座側に供給する水と混じり合わないようにするためである。
【００５３】
分岐管８４の末端部分にはさらに消毒液用の連結部に消毒液を満たしたタンク９６が挿着される。消毒液を使用することで、既設トイレ３はもちろんのこと可搬型簡易トイレ装置１０の衛生状態を改善できる。更に、排出ホースも同時に洗浄できるものである。なお、タンク９６は必ずしも備えられていなくてはならないものではなく、必要に応じて適宜設けることができる。
【００５４】
このように既存のトイレの配水系を流用すれば、分岐管８４を付設するだけの簡単な増設工事で可搬型簡易トイレ装置１０を使用することができる。
【００５５】
排出ホース１４は、制水筒部（後述する）が既設便器４内に臨むように、既設便器４と便座１１８との間から差し込まれる。挿通の仕方は図１６に示した通りである。
【００５６】
図４は給水ホース１２の一例を、図５は排出ホース１４の一例を示す。給水ホース１２の一端部１２ａを上水道管側に接続される端部とし、他端部１２ｂを可搬型簡易トイレ装置１０に接続される端部としたとき、一端部１２ａ及び他端部１２ｂに各々逆止弁付きの連結部６０Ａ，６０Ｂが取り付けられている。
【００５７】
排出ホース１４には一端部１４ａのみに逆止弁付きの連結部６２が付設される。一端部１４ａは可搬型簡易トイレ装置１０側に連結される端部である。
【００５８】
給水ホース１２は便器本体２０に供給される洗浄水用として使用されるものであるから、小径のビニルホースなどを使用することができる。これに対して、排出ホース１４は、その管内を汚物などを破砕した流状物（流状物）が流れるものであるから、給水ホース１２と同径か僅かに太い径のビニルホースなどを使用することができる。これは固まった汚物ではなく、洗浄水と混合した流状物が取り扱うためである。図５は、給水ホース１２よりも大径の排出ホース１４を使用した場合である。
【００５９】
給水ホース１２と排出ホース１４とで異なる管径のホースを使用すると、元々太さが違うために、給水ホース１２を排出ホースとして使用したり、排出ホース１４を給水ホースと間違って連結したりする、初歩的な誤連結作業を確実に防止できる。
【００６０】
逆止弁付きの連結部６０（６２）は、例えば図６のように本体６３の中空内部に断面矩形状の弁作動室６４が設けられ、ここに弁作用をなす球体６５とそれに対する押圧バネ６６とが設けられ、水圧が矢印ａ方向に作用することで弁が開くようになっている。これにより可搬型簡易トイレ装置側と上水道管側からの双方の逆流防止を行っている。
【００６１】
一方、他方の連結部６０Ｂにあっては、これを可搬型簡易トイレ装置１０側に連結したとき、逆止弁の球体６５が押圧バネ６６に抗して後退する凸部（図示せず）を、可搬型簡易トイレ装置側に設けることで、連結部６０を連結したときには内部の弁が開放されて連通状態となり、連結を外したときには内部の弁が閉じ、ホース内の液体が外部に漏れ出さないように構成されている。
【００６２】
さて、図１に示す溜まり部１８内には汚物を破砕する破砕手段４０のうち、固定刃４０Ａと回転刃４０Ｂとが臨むように取り付けられる。図７はその要部の拡大図である。便器２０のうち、溜まり部１８内に埋没した側壁が一部平坦部１５０となされる。
【００６３】
この平坦部１５０と、同じく溜まり部１８の他方の側壁を構成する尖端部１５２との空間内に、固定刃４０Ａと回転刃４０Ｂとで構成された回転破砕部が位置し、この空間を塞ぐように取り付け固定される。そのため、この例では平坦部１５０は固定刃４０Ａの載置端面として利用される。
【００６４】
回転破砕部は、固定刃４０Ａが下面に位置し、回転刃４０Ｂが上面に位置する。図７〜図１０を参照して説明する。回転刃４０Ｂから説明すると、図８に示すようにこの回転刃４０Ｂは中心にモータ４２の回転軸４２ａが挿着されるタブ１５８を有する。タブ１５８には放射状に延びる複数の櫛歯部１６０が一体成形される。この例ではほぼ１２０°の間隔で３本の櫛歯部１６０Ａ〜１６０Ｃが設けられた場合である。
【００６５】
櫛歯部１６０は何れも下面を向くようにほぼ台形状をなす複数の櫛歯１６２が形成されている（図１０参照）。なお、櫛歯１６２はカッタ刃のように機能させるため、それぞれの端面は鋭利な尖端面となされるのが好ましい。しかしながら、後述する如く、汚物は、櫛歯１６２と櫛歯１８２とで挟み込まれることでも破砕されるので、必ずしも鋭利である必要はない。
【００６６】
櫛歯部１６０Ａ〜１６０Ｃの上面の所定位置には攪拌片１６４（１６４ａ〜１６４ｃ）が取り付け固定される。攪拌片１６４は薄い金属片であって、図のように櫛歯部１６０の幅に収まる程度の大きさであって、さらに上方に向かって折り曲げられており、汚物などを攪拌し易くなっている。攪拌片１６４の取り付け位置は、図示のように同一円周上となっている。ランダムに取り付けることもできる。
【００６７】
一方、固定刃４０Ａは図７および図８に示すように固定円盤１７０を有し、この固定円盤１７０の上面に複数の櫛歯部１８０が設けられている。この例では図９に示すように回転刃４０Ｂと同じく３つの櫛歯部１８０（１８０Ａ〜１８０Ｃ）が放射状に延びるように設けられる。そしてこれら櫛歯部１８０を構成する複数の櫛歯１８２が、回転刃４０Ｂの櫛歯部１６０と丁度噛合し合うように設けられる。
【００６８】
固定円盤１７０の面内であって、櫛歯部１８０以外の面内には図８および図９に示すように複数の流下孔１８４が穿設される。これら流下孔１８４は破砕された汚物を溜まり部１８内に落下させるためのもので、流下孔１８４の大きさ（内径）によって溜まり部１８から排出される流状物の粒径が決まり、流下孔１８４の径よりも大きな粒径の流状物は、落下することなく何度か破砕処理が繰り返された後、排出されることになる。流下孔１８４の形状は、円孔でもスリット（楕円状を含む）でもよい。図はスリット状の流下孔１８４を示す。
【００６９】
固定刃４０Ａと回転刃４０Ｂとは図７のように、互いの櫛歯１６２と１８２とが適切に噛み合うと共に、回転刃４０Ｂ側の櫛歯１６２の端面が固定刃４０Ａの固定円盤１７０の上面と少許の間隙を保持して対峙するように組み立てられる。モータ４２の回転軸４２ａは回転刃４０Ｂの軸穴１５８ａのみに係合する。したがって図７に示すように固定円盤１７０に穿設された透孔１７０ａは回転軸４２ａよりも大きな内径となされる。これによってモータ４２を駆動したとき回転刃４０Ｂのみが所定方向（例えば時計方向）に所定の速度で回転する。回転速度は余り速くする必要はない。なお、回転軸４２ａの先端部と軸穴１５８ａは角孔とした場合を示す（図１０参照）。
【００７０】
汚物は回転刃４０Ｂを構成する櫛歯部１６０の間に落下しているので、回転刃４０Ｂを回転させることで、回転刃４０Ｂと固定刃４０Ａの協働によって汚物が挟み込まれて破砕される。汚物の中に豆類などの固形物や繊維質のカスなどが混入している場合も、回転刃４０Ｂと固定刃４０Ａとによって細かく破砕される。回転刃４０Ｂの上に汚物が浮上しているようなときは、攪拌片１６４によって攪拌されるため、攪拌されながら何れ櫛歯部１６０の間に落下する。
【００７１】
破砕された汚物は固定円盤１７０の流下孔１８４より溜まり部１８の底部側に落下する。流下孔１８４の径よりも大きな汚物は、落下することなく何度か破砕処理が繰り返された後、流下孔１８４を介して落下する。流下孔１８４によって排出される流状物の粒径がほぼ同じになる。
【００７２】
図１１は可搬型簡易トイレ装置１０の制御系の一例を示す。上述した電源スイッチ５２の他に、開閉スイッチ５５および水抜きスイッチ２４４が設けられ、それらのオンオフ信号が制御部５０に供給される。
【００７３】
電源スイッチ５２は可搬型簡易トイレ装置１０を設置するときにスイッチが投入される。これに対し、開閉スイッチ５５は便座２１の上部を閉蓋するための便蓋２３の開閉に関連してオンオフするスイッチである。したがって、図１に示すようにこの例では便蓋２３と対向するように便蓋２３の下面に開閉スイッチ５５（開閉検知センサースイッチなど）が取り付けられる。水抜きスイッチ２４４は例えば便蓋２３よりも奥に設けることができる。使用頻度が少ないからである。
【００７４】
ＣＰＵで構成されたこの制御部５０からの制御信号によって上述した排出用電磁弁２４、給水用電磁弁３２、洗浄用電磁弁３３、破砕用モータ４２およびエアコンプレッサ２００の各駆動状態が制御される。
【００７５】
図１２はその制御タイミング例を示す。この可搬型簡易トイレ装置１０の場合には、トイレが使用されていないときは開閉蓋である蓋本体２１２は閉じられた状態にあるものとする。
【００７６】
可搬型簡易トイレ装置１０は便蓋２３を開けて使用する。便蓋２３の開操作は開閉スイッチ５５（開閉検知センサースイッチなど）によって検出される（図１２Ａ）。便蓋２３を開けているうちに用を足す。排泄物が蓋本体２１２に落下すると、その自重によって蓋本体２１２が開いて、排泄物は溜まり部１８のトラップ水内に落下する（図２参照）。排泄物が落下すると、蓋本体２１２は自動的に閉じる。これは蓋本体２１２が常時縮径部２３０側に付勢されているからである。
【００７７】
排便の用が済んだら便蓋２３を閉じる（図１２Ａ）。閉蓋と判断されると、期間Ｔａに亘って排泄物に対する破砕処理がなされる（図１２Ｂ）。なお、便蓋２３を閉じる動作を行う代わりに、手動操作によって開閉スイッチ５５に相当するような始動スイッチを作動させて破砕処理の開始がなされるようにしても良い。破砕処理時間Ｔａは汚物やトイレットペーパーを充分破砕できる時間に選定される。通常は２０秒以下、好ましくは５〜１０程度の時間に設定される。
【００７８】
破砕処理中の適当なタイミングにエアコンプレッサ２００が駆動されて、溜まり部１８の内部に圧縮空気が送給されて加圧される（図１２Ｅ）。加圧処理時間Ｔｂは溜まり部１８内の内圧が所定値（例えば２気圧）まで上昇する時間に設定される。内圧の所定値とは、排出ホース１４を介して既設便器４内に流状物を確実に圧送して排出できる程度の圧力を言う。実際には内圧の所定値となる時間Ｔｂが予め設定され、この時間Ｔｂがカウントされる。
【００７９】
加圧時間Ｔｂが経過すると、エアコンプレッサ２００を駆動した状態で、つまり圧縮空気を溜まり部１８の内部に送給した状態で、排出用電磁弁２４が駆動される（図１２Ｄ）。排出用電磁弁２４が駆動されて排出口２７が開けられると、溜まり部１８内のトラップ水（流状物）は、圧縮空気によって一気に圧送されて、排出ホース１４側へと排出される。排出ホース１４は既設便器４に連結されているので、破砕手段４０によって破砕された排泄物が既設便器４側に排出される。
【００８０】
圧送期間Ｔｃは排出ホース１４の設置長によっても相違するが、排出ホース１４内に流状物が残留しないようにするため、通常の場合には比較的長めの時間、例えば１０〜３０秒程度に設定される。
【００８１】
圧送期間Ｔｃが経過すると、排出用電磁弁２４への通電が解除されると共に、エアコンプレッサ２００の駆動を停止する（図１２Ｄ，Ｅ）。これで、排出口２７が閉じられる。その後、給水用電磁弁３２が作動して溜まり部１８内への給水が開始される（図１２Ｃ）。その給水時間Ｔｄは、溜まり部１８内のトラップ水が所定量となる注水時間に設定される。ここに、所定量とは図７に示すようにトラップ水の水面が回転刃４０Ｂの上面を超えるまでの貯水量を言う。溜まり部１８への注水が完了することで、待機状態となる。
【００８２】
なお、この例では、図１２Ｃに示すように給水用の電磁弁３２の作動に同期して洗浄用の電磁弁３３も作動させている。この電磁弁３３が作動すると、洗浄ホース２４０を介して溜まり部１８内への注水、具体的には蓋本体２１２の裏面への噴射および溜まり部１８の壁面への噴射が行われる。この洗浄水の噴射によって、蓋本体２１２の裏面、溜まり部１８の壁面、破砕手段４０などの洗浄が行われるから、蓋本体２１２と溜まり部１８内を常に清潔に保つことができる。
【００８３】
溜まり部１８内への給水と蓋本体２１２などに対する洗浄とを同時に行うのではなく、溜まり部１８内への給水を行う前、つまり流状物の圧送・排出処理が終了してから洗浄処理を行って、そのときの洗浄水も同時に圧送・排出するようにしてもよい。したがって、溜まり部１８内への給水はその後、電磁弁２４を閉じてから行うことになる。
【００８４】
圧送処理は破砕処理中に行われる。固定円盤１７０には流下孔１８４が設けられているので、これによって破砕処理された流状物の落下量や落下タイミングがほぼ一定となるから、排出ホース１４を介して排出される量もほぼ一定となる。一度に大量の流状物が排出ホース１４側に排出されるおそれもない。汚物が細かく破砕されることに加え、流下量の不均一性が解消されるので、排出ホース１４として径の細いホース（例えば５〜１０ｍｍ径）を使用しても排出ホース１４内での詰まりをほぼ解消できる。
【００８５】
可搬型の簡易トイレ装置１０を移動したり、撤去するときには、溜まり部１８内のトラップ水は排出しておいた方が好ましい。この水抜き処理は、上述した排出処理とは独立して行われる。その場合には、図１３に示すように水抜きスイッチ２４４をオンにして、エアコンプレッサ２００を作動させる（図１３Ａ，Ｃ）。エアコンプレッサ２００の始動によって溜まり部１８内は加圧される（図１３Ｃ）。期間Ｔｆに亘る加圧処理が終了すると、排出用電磁弁２４が作動して所定期間Ｔｇに亘り排出口が開けられる（図１３Ｂ）。
【００８６】
この加圧圧送によってトラップ水を溜まり部１８内から排出することができる。そして、エアコンプレッサ２００の駆動が停止されてから若干時間ΔＴｆを置いて排出用電磁弁２４を閉じる。こうすることで、トラップ水の排出処理（水抜き処理）が完了する。ここで、期間Ｔｆは上述した時間Ｔｂに、期間Ｔｇは時間Ｔｃにセットすればよい。
【実施例２】
【００８７】
図１４はこの発明に適用できる破砕手段４０における他の例を示す。この破砕手段４０は回転刃４０Ｂの構成が実施例１の場合と異なる。
図１４では回転刃４０Ｂも円盤１６６を有する。この円盤１６６は回転円盤であって、一部が切欠された半円月状をなす。この切欠部１６７の開口角度は６０°〜１２０°程度が好ましい。開口角度が狭すぎても広すぎても、汚物の破砕処理に時間がかかるので、上述した程度の開口角度が好ましい。図示は１２０°程度の開口角度に選定した場合である。
【００８８】
回転円盤１６６の下面には上述した複数の櫛歯部１６０が設けられる。切欠部１６７の真下を含めて、この例では３本の櫛歯部１６０Ａ〜１６０Ｃがタブ１５８を基準にして放射状に設けられている。櫛歯部１６０は切欠部１６７の各端面に一対設ける構成でもよい。
【００８９】
回転円盤１６６の面上には、複数の攪拌片この例では３つの攪拌片１６４（１６４ａ〜１６４ｃ）が同一円周上に取り付け固定されると共に、比較的径の大きなスリット状をなす複数の透孔１６８が穿設されている。
【００９０】
このように半円月状の回転円盤１６６を使用した場合には、汚物は切欠部１６７によって形成された空間内に落下するとは限らず、回転円盤１６６上に落下することが考えられるが、回転円盤１６６の回転と攪拌片によって切欠部１６７内に落下させることができるから、実施例１の場合と同じく汚物を適切に破砕処理できる。複数の透孔１６８によっても汚物を固定刃４０Ａ側に落下させることができるので、その分破砕処理が速くなる。固形物などが含まれている場合でも、これを細かく破砕できるので特に問題はない。
【００９１】
なお、この発明の思想を逸脱することなく、種々の変形変更ができることは明らかである。
【産業上の利用可能性】
【００９２】
この発明では、介護施設や在宅介護などの介護補助装置として使用することができる。
【図面の簡単な説明】
【００９３】
【図１】この発明に係る可搬型簡易トイレ装置の一例を示す要部の断面図である。
【図２】図１に示す可搬型簡易トイレ装置の使用状態を示す断面図である。
【図３】既設トイレ装置に給排出ホースを連結したときの例を示す概念図である。
【図４】給水ホースの構成例を示す図である。
【図５】排出ホースの構成例を示す図である。
【図６】逆止弁の一例を示す要部断面図である。
【図７】この発明に適用できる破砕手段の要部の断面図である。
【図８】固定刃と回転刃の関係を示す斜視図である。
【図９】固定刃の平面図である。
【図１０】回転刃をその下面側から見た図（底面図）である。
【図１１】この発明に係る可搬型簡易トイレ装置の制御系の一例を示す系統図である。
【図１２】その動作説明に供する波形図である。
【図１３】水抜きの動作説明に供する波形図である。
【図１４】回転刃の他の例を示す斜視図である。
【図１５】トイレシステムの一例を示す説明図である。
【図１６】既設便器に対する排出ホースの取り付け例を示す断面図である。
【符号の説明】
【００９４】
１０・・・可搬型簡易トイレ装置
１８・・・溜まり部
２０・・・便器本体
２４，３２・・・電磁弁
２２・・・排出部
２８・・・給水口
４０・・・破砕手段
４０Ａ・・・固定刃
４０Ｂ・・・回転刃
１６０，１８０・・・櫛歯部
１６２，１８２・・・櫛歯
１６６・・・回転円盤
１７０・・・固定円盤
１６４・・・攪拌片
４２・・・モータ
２００・・・破砕物圧送手段
２１０・・・開閉蓋機構
【図１】
2007217995.tif 000003
【図２】
2007217995.tif 000004
【図３】
2007217995.tif 000005
【図４】
2007217995.tif 000006
【図５】
2007217995.tif 000007
【図６】
2007217995.tif 000008
【図７】
2007217995.tif 000009
【図８】
2007217995.tif 000010
【図９】
2007217995.tif 000011
【図１０】
2007217995.tif 000012
【図１１】
2007217995.tif 000013
【図１２】
2007217995.tif 000014
【図１３】
2007217995.tif 000015
【図１４】
2007217995.tif 000016
【図１５】
2007217995.tif 000017
【図１６】
2007217995.tif 000018